(57)【特許請求の範囲】
【請求項１】
建物外面に、被固定部を有する機能性物品を固定するための物品固定装置が配設された建物外面構造であって、
前記物品固定装置は、長尺なレール部材と、下面に凹溝を有し、前記凹溝に前記レール部材が配設された基板部材と、を備え、
前記レール部材は、
長手方向に亘って形成された係合部と、
前記機能性物品に電気を供給可能な給電部と、
を有し、
前記機能性物品の前記被固定部と前記係合部とが係合し、前記給電部から給電可能な状態で、前記機能性物品が前記レール部材の長手方向の任意の位置に固定可能とされている
ことを特徴とする建物外面構造。
【請求項２】
前記レール部材は、互いに離間して対向し、長手方向に延びる一対の側板部を備え、この側板部同士の間には、建物外方に向かって開放されたスリット溝部が形成されており、
前記係合部は、一対の前記側板部のそれぞれの建物外方側の一端から前記スリット溝部側に向かって突出し、互いに先端部が離間した状態で対向しており、
前記スリット溝部に前記機能性物品の前記被固定部が挿入され、前記係合部と前記被固定部が係合することを特徴とする請求項１に記載の建物外面構造。
【請求項３】
前記給電部は、一対の前記側板部のそれぞれの中間部から、前記スリット溝部側に向かって突出し、互いに先端部が離間した状態で対向しており、前記スリット溝部内に位置する前記機能性物品と接続可能とされていることを特徴とする請求項２に記載の建物外面構造。
【請求項４】
前記機能性物品が、照明装置、送風装置、人体検知装置、水滴供給装置、洗濯物干し装置、遮光装置のうちの１種または２種以上であることを特徴とする請求項１から３のいずれかに記載の建物外面構造。
【請求項５】
前記物品固定装置は、前記基板部材を前記建物外面に固定する固定用基礎部材をさらに備える請求項１から４のいずれかに記載の建物外面構造。
【請求項６】
建物外面に、被固定部を有する機能性物品を固定するための長尺なレール部材と、下面に凹溝を有し、前記凹溝に前記レール部材が配設された基板部材と、を備えた物品固定装置であって、
前記レール部材は、
長手方向に亘って形成された係合部と、
前記機能性物品に電気を供給可能な給電部と、
を有し、
前記機能性物品の前記被固定部と前記係合部とが係合し、前記給電部から給電可能な状態で、前記機能性物品が前記レール部材の長手方向の任意の位置に固定可能とされていることを特徴とする物品固定装置。
【請求項７】
前記基板部材を前記建物外面に固定する固定用基礎部材をさらに備える請求項６に記載の物品固定装置。
【発明の詳細な説明】
【技術分野】
【０００１】
本発明は、建物外面構造および物品固定装置に関する。
【背景技術】
【０００２】
従来より、建物のバルコニーや軒天井の下面に、照明装置、スクリーン装置、洗濯物干し装置などの機能性物品を設置するための建物外面構造が提案されている（例えば、特許文献１−３）。
【先行技術文献】
【特許文献】
【０００３】
【特許文献１】実開平６−８２２８７号公報
【特許文献２】特開２００４−３４６５１０号公報
【特許文献３】特開平６−２６９５９７号公報
【発明の概要】
【発明が解決しようとする課題】
【０００４】
しかしながら、特許文献１−３のような従来の建物外面構造では、設置される機能性物品の種類、形態に対応した特殊な構造になっている。このため、例えば、建物周囲の環境や居住者の希望に応じて、機能性物品の種類を選択して設置したり、複数種の機能性物品を組み合わせて設置したりするなどのカスタマイズが難しいという問題がある。
【０００５】
本発明は、以上のとおりの事情に鑑みてなされたものであり、建物外面に、所望の各種の機能性物品を設置することが容易なカスタマイズ性に優れた建物外面構造を提供することを課題としている。また、建物外面に所望の各種機能性物品を設置するための物品固定装置を提供することを課題としている。
【課題を解決するための手段】
【０００６】
上記の課題を解決するために、本発明の建物外面構造は、建物外面に、被固定部を有する機能性物品を固定するための物品固定装置が配設された建物外面構造であって、
前記物品固定装置は、長尺なレール部材と、下面に凹溝を有し、前記凹溝に前記レール部材が配設された基板部材と、を備え、
前記レール部材は、
長手方向に亘って形成された係合部と、
前記機能性物品に電気を供給可能な給電部と、
を有し、
前記機能性物品の前記被固定部と前記係合部とが係合し、前記給電部から給電可能な状 態で、前記機能性物品が前記レール部材の長手方向の任意の位置に固定可能とされている ことを特徴としている。
【０００７】
本発明の建物外面構造は、建物外面に、被固定部を有する機能性物品を固定するための長尺なレール部材と、下面に凹溝を有し、前記凹溝に前記レール部材が配設された基板部材と、を備えた物品固定装置であって、
前記レール部材は、
長手方向に亘って形成された係合部と、
前記機能性物品に電気を供給可能な給電部と、
を有し、
前記機能性物品の前記被固定部と前記係合部とが係合し、前記給電部から給電可能な状 態で、前記機能性物品が前記レール部材の長手方向の任意の位置に固定可能とされていることを特徴としている。
【発明の効果】
【０００８】
本発明の建物外面構造および物品固定装置は、建物外面に、所望の各種の機能性物品を設置することが容易であり、カスタマイズ性に優れている。
【図面の簡単な説明】
【０００９】
【図１】（Ａ）は、本発明の物品固定装置の一実施形態を例示した斜視図であり、（Ｂ）は、（A）に示した物品固定装置を建物外面に設置した本発明の建物外面構造の一実施形態を例示した側面図である。
【図２】本発明の物品固定装置におけるレール部材の一実施形態を例示した斜視図である。
【図３】本発明の物品固定装置に固定される機能性物品に含まれる接続部材の一実施形態を例示した斜視図である。
【図４】本発明の物品固定装置に、図３（Ａ）に例示した接続部材を取り付けた状態を例示した斜視図である。
【図５】本発明の物品固定装置に、図３（Ｃ）に例示した接続部材を取り付けた状態を例示した斜視図である。
【図６】本発明の物品固定装置に、図３（Ｄ）に例示した接続部材を取り付けた状態を例示した斜視図である。
【発明を実施するための形態】
【００１０】
図１（Ａ）は、本発明の物品固定装置の一実施形態を例示した斜視図であり、図１（Ｂ）は、図１（Ａ）に示した物品固定装置を建物外面に設置した本発明の建物外面構造の一実施形態を例示した側面図である。
【００１１】
物品固定装置１は、建物のバルコニーの下面、軒天井の下面、雨に曝されない建物外壁面などの建物外面Ｗに、各種の機能性物品（図示していない）を設置するための装置である。
【００１２】
機能性物品は、例えば、照明装置、送風装置、人体検知装置、水滴供給装置、洗濯物干し装置、遮光装置などを例示することができる。建物外面Ｗに固定された物品固定装置１には、建物周囲の環境や居住者の希望などに応じて、これらの機能性物品のうちの１種または２種以上を組み合わせて設置することができる。
【００１３】
例えば、物品固定装置１によって建物外面Ｗに照明装置を設置した場合、バルコニーや軒天井の下方を明るく照らすことができる。例えば、建物外面Ｗに送風装置を設置した場合、バルコニーや軒天井の下方に快適な風を供給することができる。例えば、建物外面Ｗにセンサーを備えた人体検知装置を設置した場合、敷地内への侵入者を検知することで防犯機能を高めることができる。例えば、建物外面Ｗに水滴供給装置を設置した場合、周囲に霧状の液滴を噴霧することで、例えば周辺環境の湿度、温度などを制御することができる。例えば、建物外面Ｗに洗濯物干し装置を設置した場合、バルコニーや軒天井の下方の空間を有効活用して洗濯物を干すことができる。例えば、建物外面Ｗにロール式の遮光装置（スクリーン）を設置した場合、必要に応じて窓から建物室内に入射する太陽光を遮断することができ、室内の温度上昇を抑制することができる。
【００１４】
機能性物品は、物品固定装置１に固定される被固定部を有している。被固定部は、機能性物品と一体に形成されていてもよいし、機能性物品に付属（別体）の接続部材に形成されていてもよい。
【００１５】
図１（Ａ）（Ｂ）に例示したように、物品固定装置１は、基板部材２と、固定用基礎部材３と、レール部材４とを備えている。
【００１６】
基板部材２は、長尺な略板状であり、上面２Ａ側の短手方向の中央付近に一段下がる凹面部２１が長手方向に沿って形成されている。また、基板部材２の下面２Ｂには、長手方向に延びる幅小な凹溝２２が３つ形成されている。
【００１７】
基板部材２の形状や、長さ、厚さ、材料などは特に限定されず、物品固定装置１が設置される建物外面Ｗなどに応じて適宜設計することができる。
【００１８】
固定用基礎部材３は、基板部材２の凹面部２１に設けられている。固定用基礎部材３は、基板部材２の長手方向に沿って長尺であり、この実施形態では、互いに略平行な３本の固定用基礎部材３が略等間隔で配置されている。
【００１９】
固定用基礎部材３は、基板部材２の上面２Ａと当接する当接面部３１と、互いに対向する一対の係合片３２を備えている。
【００２０】
当接面部３１は長尺な略平板状であり、短手方向の中央付近には、長手方向に延びる凸条部３１aが形成されている。例えば、この凸条部３１aから基板部材２側へ向かって釘やねじなどの固定具（図示していない）を貫通させることで、固定用基礎部材３を基板部材２の上面２Ａに固定することができる。
【００２１】
係合片３２は、固定用基礎部材３の短手方向の両側に位置する当接面部３１の両端部から起立し、互いに対向している。また、係合片３２の先端には、内側に向かって屈曲する爪部３２aが形成されている。
【００２２】
図１（Ｂ）に例示したように、例えば、バルコニーの下面、軒天井の下面、建物外壁面などの設置すべき建物外面Ｗに、予め、固定用基礎部材３と係合可能な係合爪部材Ｆを配設しておくことが好ましい。図１（Ｂ）に例示した実施形態では、建物外面Ｗに、先端側が対峙する基板部材２の短手方向の外側に向かって広がる係合爪部材Ｆが、固定用基礎部材３と対応する位置に固定されている。この係合爪部材Ｆと係合片３２の先端の爪部３２aとを係合させることによって、固定用基礎部材３が係合爪部材Ｆを介して建物外面Ｗに固定され、物品固定装置１全体が建物外面Ｗに設置、固定される。
【００２３】
レール部材４は、基板部材２の長手方向に沿って延びる長尺な部材であり、基板部材２の下面２Ｂに設けられた凹溝２２内に配設されている。
【００２４】
図２は、本発明の物品固定装置におけるレール部材の一実施形態を例示した斜視図である。
【００２５】
レール部材４は、基板部材２の凹溝２２の溝底部と当接する略平板状の上面部４１と、この上面部４１の短手方向の両端部から下方に向かって延びる一対の側板部４２とを備えている。
【００２６】
一対の側板部４２は、互いに離間して水平方向に対向しており、レール部材４の長手方向に沿って延びている。側板部４２の上下方向長さは、基板部材２の凹溝２２の深さと略一致している。
【００２７】
また、対向する一対の側板部４２同士の間には、建物の外方に向かって開放された空間であるスリット溝部４３が形成されている。
【００２８】
係合部４４は、一対の側板部４２の下端からスリット溝部４３に向かって内方に突出し、互いに先端部４４１が離間した状態で対向している。また、図２（Ｂ）に例示したように、この物品固定装置１では、係合部４４の下面４４Ａと基板部材２の下面２Ｂとが略面一に形成されている。
【００２９】
給電部４５は、電源（図示していない）と配線を介して接続している。給電部４５は、側板部４２の係合部４４よりも上方に位置する中間部において、スリット溝部４３に向かって内方に突出し、互いに先端部４５１が離間した状態で対向している。この対向する一方の側の給電部４５には、接地側の電極が設けられ、他方の側の給電部４５には、非接地側の電極が設けられている。なお、対向する双方の給電部４５を同じ接地側の電極とし、スリット溝部４３の上面を非接地側の電極としてもよい。給電部４５の先端部４５１同士の間隔は、係合部４４の先端部４４１同士の間隔よりもやや広く形成されている。給電部４５は、機能性物品またはその接続部材に接続して、機能性物品に対して電気を供給可能であればよく、具体的な構成は特に限定されない。
【００３０】
図３（Ａ）〜（Ｄ）は、本発明の物品固定装置に固定される機能性物品に含まれる接続部材の一実施形態を例示した斜視図である。
【００３１】
図３（Ａ）に例示した接続部材５は、上側に水平方向に長い略直方体状の被固定部５１を備えている。また、この被固定部５１の下面５１bからは下方に向かって略円柱形の締結部５２が延びており、略円筒状の保持部５３と接続している。保持部５３は、締結部５２よりも径大な外形を有し、内部に円柱状の中空部５３aが形成されている。保持部５３の中空部５３aには、機能性物品の接続端部などを挿入し、中空部５３aの天井と当接させることができる。
【００３２】
図３（Ｂ）に例示した接続部材５は、上側に水平方向に長い略直方体状の被固定部５１を備えている。この被固定部５１の下面５１bからは下方に向かって径小な略円柱形の締結部５２が延びており、略円盤状の保持部５３と接続している。保持部５３の中央には、水平方向に貫通する円形の開口部５３bが形成されており、この開口部５３bには、例えば、洗濯物干し装置の竿部など挿入して利用することができる。
【００３３】
図３（Ｃ）に例示した接続部材５は、被固定部５１として、第１被固定部５１１と第２被固定部５１２とを有している。具体的には、第１被固定部５１１は、上側に位置し、水平方向に長い略直方体状に形成されている。この第１被固定部５１１の下面５１１aからは下方に向かって、表面に雄ねじを有するねじ部５４が延びている。また、第１被固定部５１の下方のねじ部５４には、略直方体状の第２被固定部５１２が貫通状態で保持されている。第２被固定部５１２には、中央に形成された円柱形の貫通部５５の内周面には雌ねじが形成されており、第２被固定部５１を水平方向に回転させることで、ねじ部５４に沿って第２被固定部５１を上下動させることができる。そして、ねじ部５４の下端は、略円筒状の保持部５３と接続している。保持部５３は、ねじ部５４よりも径大な外形を有し、内部に円柱状の中空部５３aが形成されている。保持部５３の中空部５３aには、機能性物品の接続端部などを挿入し、中空部５３aの天井と当接させることができる。
【００３４】
図３（Ｄ）に例示した接続部材５は、上側に水平方向に長い略板状の受電部５６を備えている。この受電部５６の下面５６aからは下方に向かって略円柱形の第１締結部５２aが延びており、略直方体状の被固定部５１と接続している。受電部５６と被固定部５１は、長手方向の向きが一致している。被固定部５１の下面からは、第１締結部５２よりも径大な略円柱形の第２締結部５２bが延びており、第２締結部５２bの下端は略円筒状の保持部５３と接続している。
【００３５】
保持部５３は、締結部５２よりも径大な外形を有し、内部に円柱状の中空部５３aが形成されている。保持部５３の中空部５３aには、機能性物品の接続端部などを挿入し、中空部５３aの天井と接続することができる。
【００３６】
図４は、本発明の物品固定装置に、図３（Ａ）に例示した接続部材を取り付けた状態を例示した斜視図である。図４では、物品固定装置のレール部材のみを図示しており、基板部材や固定用基礎部材の図示は省略している。図１〜図３を用いて説明した部分と共通する部分には同一の符号を付している。
【００３７】
この実施形態では、物品固定装置１のレール部材４のスリット溝部４３に、接続部材５の被固定部５１が保持され、係合部４４と被固定部５１が係合している。被固定部５１の長手方向の両端面５１aは側板部４２と近接し対峙しており、被固定部５１の下面５１bは係合部４４の上面４４Bと当接している。被固定部５１の長手方向の長さは、係合部４４の先端部４４１同士の間隔よりも長く形成されているため、接続部材５（機能性物品）の脱落が抑制されている。このように、係合部４４と被固定部５１との係合によって、物品固定装置１に機能性物品を安定に固定することができる。
【００３８】
また、レール部材４の係合部４４の先端部４４１同士の間隔は、接続部材５の締結部５２よりもやや大きく設計されており、対向する係合部４４同士の間の隙間に接続部材５の締結部５２が挿入されている。接続部材５は、締結部５２の下端と接続する保持部５３がレール部材４の下方に露出している。そして、保持部５３の上面５３ｂが係合部４４の下面４４Ａと当接しており、被固定部５１の下面５１bと保持部５３の上面５３cとで、係合部４４を挟み込んで、接続部材５をレール部材４に固定している。
【００３９】
したがって、接続部材５の保持部５３の中空部５３aに所望の機能性物品の端部を挿入し、固定することで、接続部材５を介して機能性物品が物品固定装置１に固定される。
【００４０】
このように、レール部材４の長手方向の任意の位置において、機能性物品の被固定部５１とレール部材４の係合部４４とが係合して固定される。このため、本発明の物品固定装置１および建物外面構造は、建物周囲の環境や居住者の希望に応じて、機能性物品の種類を選択して固定したり、複数種の機能性物品を組み合わせて固定したりするなどのカスタマイズが容易である。
【００４１】
なお、例えば、レール部材４のスリット溝部４３の機能性物品（接続部材）が固定されていない領域には、閉鎖部材（図示していない）を配設することができる。これによって、雨水や虫などの侵入が抑制されるとともに、見栄えも良好になる。
【００４２】
また、接続部材５の被固定部５１をレール部材４のスリット溝部４３に挿入する方法は特に限定されない。例えば、接続部材５の被固定部５１の幅（短手方向の長さ）がレール部材４の係合部４４の先端部４４１同士の間隔よりも小さい場合には、被固定部５１の長手方向をレール部材４の長手方向と一致させる。そして、被固定部５１を係合部４４の先端部４４１同士の間からスリット溝部４３に挿入することができる。被固定部５１をスリット溝部４３に挿入した後は、スリット溝部４３内で被固定部５１を水平方向に９０°回転させて、係合部４４と被固定部５１を係合させることができる。また、別の方法としては、例えば、レール部材４の長手方向の端部から挿入することもできるし、レール部材４の中間に開口が設けられている場合は、この開口から挿入することもできる。
【００４３】
また、図示していないが、図３（Ｂ）に例示した接続部材５についても、図４に示した形態と同様にレール部材４に取り付けることができる。
【００４４】
図５は、本発明の物品固定装置に、図３（Ｃ）に例示した接続部材を取り付けた状態を例示した斜視図である。図５では、物品固定装置のレール部材のみを図示しており、基板部材や固定用基礎部材の図示は省略している。また、図４を用いて説明した実施形態と共通する内容についての説明は一部省略する。
【００４５】
この実施形態では、物品固定装置１のレール部材４のスリット溝部４３に、接続部材５の第１被固定部５１１が保持され、係合部４４の上面４４Ｂと第１被固定部５１１の下面５１１aが係合している。また、レール部材４の係合部４４の先端部４４１同士の間にねじ部５４が挿入されており、係合部４４の下面４４Ａと第２被固定部５１２の上面５１２aが係合している。接続部材５の第２被固定部５１を回転させることで、第２被固定部５１がねじ部５４に沿って上方に移動させることができる。このため、レール部材４のスリット溝部４３に接続部材５の第１被固定部５１１を挿入した後、第２被固定部５１２を回転させることで、係合部４４の下面４４Ａと第２被固定部５１２の上面５１２aとを係合させることができる。
【００４６】
この実施形態の物品固定装置１では、レール部材４の係合部４４が、接続部材５の第１被固定部５１と第２被固定部５１によって挟持されているため、機能性物品をより安定に固定することができる。
【００４７】
このように、レール部材４の長手方向の任意の位置において、機能性物品の被固定部５１とレール部材４の係合部４４とが係合して固定される。このため、この物品固定装置１および建物外面構造は、建物周囲の環境や居住者の希望に応じて、機能性物品の種類を選択して設置したり、複数種の機能性物品を組み合わせて設置したりするなどのカスタマイズが容易である。
【００４８】
図６は、本発明の物品固定装置に、図３（Ｄ）に例示した接続部材を取り付けた状態を例示した斜視図である。図６では、物品固定装置のレール部材のみを図示しており、基板部材や固定用基礎部材の図示は省略している。また、図４を用いて説明した実施形態と共通する内容についての説明は一部省略する。
【００４９】
この実施形態では、物品固定装置１のレール部材４のスリット溝部４３に、接続部材５の被固定部５１が保持され、係合部４４の上面４４Ｂと被固定部５１の下面５１bとが係合している。また、接続部材５の第１締結部５２は、対向する給電部４５同士の間に挿入されており、受電部５６の下面５６aと給電部４５の上面４５aが当接している。すなわち、給電部４５の先端部４５１同士の間隔は、受電部５６の長手方向の長さよりも短く設計されている。
【００５０】
そして、接続部材５の対向する係合部４４同士の間に第２締結部５２ｂが挿入されており、第２締結部５２ｂの下端は係合部４４の下面４４Ａより下方に位置し、保持部５３がレール部材４の下方に露出している。
【００５１】
この実施形態では、給電部４５と受電部５６が直接接触しており、給電部４５からの電気が受電部５６を通じて保持部５３と接続する機能性物品に供給される。このように、レール部材４の長手方向の任意の位置において、機能性物品の被固定部５１とレール部材４の係合部４４とが係合し、給電部４５から給電可能な状態で機能性物品がレール部材４に固定される。
【００５２】
このため、この物品固定装置１および建物外面構造は、建物周囲の環境や居住者の希望に応じて、機能性物品の種類を選択して設置したり、複数種の機能性物品を組み合わせて設置したりするなどのカスタマイズが容易である。
【００５３】
以上のように、本発明の建物外面構造は、建物外面Ｗに、被固定部５１を有する機能性物品を固定するための物品固定装置１が配設された建物外面構造である。物品固定装置１は、長尺なレール部材４を備えている。レール部材４は、長手方向に亘って形成された係合部４４と、機能性部材に電気を供給可能な給電部４５と、を有している。機能性物品の被固定部５１と係合部４４とが係合し、給電部４５から給電可能な状態で、機能性物品がレール部材４の長手方向の任意の位置に固定可能とされている。
【００５４】
この建物外面構造では、レール部材４は、互いに離間して対向し、長手方向に延びる一対の側板部４２を備え、この側板部４２同士の間には、建物外方に向かって開放されたスリット溝部４３が形成されていることが好ましい。係合部４４は、一対の側板部４２の建物外方側の一端からスリット溝部４３側に向かって突出し、互いに先端部４４１が離間した状態で対向している。スリット溝部４３に機能性物品の被固定部５１が挿入され、係合部４４と被固定部５１が係合することが好ましい。
【００５５】
この建物外面構造では、給電部４５は、一対の側板部４２のそれぞれの中間部から、スリット溝部４３側に向かって突出し、互いに先端部４５１が離間した状態で対向しており、スリット溝部４３内に位置する機能性物品と接続可能とされていることが好ましい。
【００５６】
この建物外面構造では、機能性物品が、照明装置、送風装置、人体検知装置、水滴供給装置、洗濯物干し装置、遮光装置のうちの１種または２種以上であることが好ましい。
【００５７】
本発明の物品固定装置１は、建物外面に、被固定部５１を有する機能性物品を固定するための長尺なレール部材４を備えている。レール部材４は、長手方向に亘って形成された係合部４４と、機能性部材に電気を供給可能な給電部４５と、を有している。機能性物品の被固定部５１と係合部４４とが係合し、給電部４５から給電可能な状態で、機能性物品がレール部材４の長手方向の任意の位置に固定可能とされている。
【００５８】
本発明の建物外面構造および物品固定装置は、以上の実施形態に限定されることはない。例えば、物品固定装置の固定用基礎部材は必ずしも必要なく、基板部材から建物外面に対して直接ねじなどの固定具を用いて固定することもできる。また、物品固定装置のレール部材の形態、配設数なども特に限定されず、様々に設計することができる。
【符号の説明】
【００５９】
１    物品固定装置
４    レール部材
４２  側板部
４３  スリット溝部
４４  係合部
４５  給電部
５１  被固定部
【図１】
0006726873.tif 000002
【図２】
0006726873.tif 000003
【図３】
0006726873.tif 000004
【図４】
0006726873.tif 000005
【図５】
0006726873.tif 000006
【図６】
0006726873.tif 000007